(57)【要約】【課題】外光反射を抑制して視認性を向上させた有機発光表示装置を提供すること。【解決手段】基板１１０と、ゲート電極１５５、ソース電極１７６、及びドレイン電極１７７を含み、基板１１０上に形成された薄膜トランジスタ２０と、ドレイン電極１７７の一部を露出させる接触孔１８２を有して薄膜トランジスタ２０上に形成された平坦化膜１８０と、平坦化膜１８０上に形成され、接触孔１８２を通して薄膜トランジスタ２０のドレイン電極１７７と連結される画素電極７１０と、画素電極７１０を露出させる開口部を有して平坦化膜１８０上に形成された画素定義膜１９０とを備えた有機発光表示装置であって、画素定義膜１９０と平坦化膜１８０とは互いに異なる色を有する。【選択図】図２
2010040503.tif 000002
【特許請求の範囲】
【請求項１】
基板と、
ゲート電極、ソース電極、及びドレイン電極を含み、前記基板上に形成された薄膜トランジスタと、
前記ドレイン電極の一部を露出させる接触孔を有して前記薄膜トランジスタ上に形成された平坦化膜と、
前記平坦化膜上に形成され、前記接触孔を通して前記薄膜トランジスタのドレイン電極と連結される画素電極と、
前記画素電極を露出させる開口部を有して前記平坦化膜上に形成された画素定義膜と、を備え、
前記画素定義膜と前記平坦化膜とは互いに異なる色を有することを特徴とする有機発光表示装置。
【請求項２】
前記画素定義膜が有する色と前記平坦化膜が有する色とは互いに混合されると各々の色より明度が低くなることを特徴とする請求項１に記載の有機発光表示装置。
【請求項３】
前記画素定義膜が有する色と前記平坦化膜が有する色とは減算混合状態で互いに補色関係であることを特徴とする請求項２に記載の有機発光表示装置。
【請求項４】
前記平坦化膜又は前記画素定義膜の一方は赤色（ｒｅｄ）系の色を有し、他方は緑色（ｇｒｅｅｎ）系の色をそれぞれ有することを特徴とする請求項３に記載の有機発光表示装置。
【請求項５】
前記平坦化膜又は前記画素定義膜のうち赤色系の色はアクリル系の樹脂を含んで形成されることを特徴とする請求項４に記載の有機発光表示装置。
【請求項６】
前記平坦化膜又は前記画素定義膜のいずれか一つは黒色系の色を有することを特徴とする請求項２に記載の有機発光表示装置。
【請求項７】
前記ゲート電極、前記ソース電極、及び前記ドレイン電極のうち一つ以上の電極と同じ層に同じ素材で形成された導電膜をさらに備え、
前記導電膜の少なくとも一部は前記画素定義膜の下に配置されたことを特徴とする請求項１乃至６のいずれか一項に記載の有機発光表示装置。
【発明の詳細な説明】
【技術分野】
【０００１】
本発明は有機発光表示装置に関する。
【背景技術】
【０００２】
有機発光表示装置は正孔注入電極、有機発光層及び電子注入電極を有する複数の有機発光素子（ｏｒｇａｎｉｃ  ｌｉｇｈｔ  ｅｍｉｔｔｉｎｇ  ｄｉｏｄｅ）を含む。有機発光層内部で電子と正孔とが結合されて生成された励起子（ｅｘｃｉｔｏｎ）が励起状態から基底状態に落ちる時に発生されるエネルギーによって発光が行われ、これを用いて有機発光表示装置は画像を形成する。
【０００３】
従って、有機発光表示装置は自発光特性を有し、液晶表示装置とは異なって、別途の光源を要しないため、厚さ及び重量を減らすことができる。また、有機発光表示装置は低い消費電力、高い輝度及び高い反応速度などの高品質特性を有するため、携帯用電子機器等の次世代表示装置として注目されている。
【発明の開示】
【発明が解決しようとする課題】
【０００４】
一般に有機発光表示装置が有する様々な電極及び金属配線は外部から流入した光を反射する。しかし、このような外光反射によって有機発光表示装置は黒い色の表現及びコントラストが不良になって表示特性が低下する問題がある。
【０００５】
そこで、本発明は、上記問題に鑑みてなされたものであり、本発明の目的とするところは、外光反射を抑制して、視認性を向上させることが可能な、新規かつ改良された有機発光表示装置を提供することにある。
【課題を解決するための手段】
【０００６】
上記課題を解決するために、本発明のある観点によれば、基板と、ゲート電極、ソース電極、及びドレイン電極を含み、基板上に形成された薄膜トランジスタと、ドレイン電極の一部を露出させる接触孔を有して薄膜トランジスタ上に形成された平坦化膜と、平坦化膜上に形成され、接触孔を通して薄膜トランジスタのドレイン電極と連結される画素電極と、画素電極を露出させる開口部を有して平坦化膜上に形成された画素定義膜とを備え、画素定義膜と前記平坦化膜とは互いに異なる色を有する有機発光表示装置が提供される。
【０００７】
画素定義膜が有する色と平坦化膜が有する色とは互いに混合されると各々の色より明度が低くてもよい。
画素定義膜が有する色と平坦化膜が有する色とは減算混合状態で互いに補色関係であってもよい。
【０００８】
平坦化膜又は画素定義膜の一方は赤色（ｒｅｄ）系の色を有し、他方は緑色（ｇｒｅｅｎ）系の色をそれぞれ有してもよい。
平坦化膜又は画素定義膜のうち赤色系の色はアクリル系の樹脂を含んで形成されてもよい。
【０００９】
平坦化膜又は画素定義膜のいずれか一つは黒色系の色を有してもよい。
ゲート電極、ソース電極、及びドレイン電極のうち一つ以上の電極と同じ層に同じ素材で形成された導電膜をさらに備え、導電膜の少なくとも一部は画素定義膜の下に配置されてもよい。
【発明の効果】
【００１０】
以上説明したように本発明によれば、有機発光表示装置は外光反射率を低下させて、視認性を向上させた表示特性を有することができる。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
また、図面に示した各構成の大きさ及び厚さは説明の便宜のために任意に示したため、本発明が必ず図示されたものに限られない。
また、図面から様々な層及び領域を明確に表現するために厚さを拡大して示した。層、膜、領域、板などの部分が他の部分「上」または「上に」いるという時、これは他の部分「真上に」ある場合だけでなく、その間にまた他の部分がある場合も含む。逆にある部分が他の部分の「真上に」いるという時には、その間に他の部分がないことを意味する。
【００１３】
また、本実施形態では、一つの画素に二つの薄膜トランジスタと一つの蓄電素子（ｃａｐａｃｉｔｏｒ）を備えた２Ｔｒ−１Ｃａｐ構造の能動駆動（ａｃｔｉｖｅ  ｍａｔｒｉｘ、ＡＭ）型有機発光表示装置を示しているが、本発明はこれに限定されるのではない。従って、有機発光表示装置は一つの画素に３つ以上の薄膜トランジスタと２つ以上の蓄電素子を具備でき、別途の配線がさらに形成されて多様な構造を有するように形成できる。
ここで、画素は画像を表示する最小単位を意味し、有機発光表示装置は複数の画素を通して画像を表示する。
【００１４】
以下、図１及び図２を参照して本発明の一実施形態を説明する。
図１に示すように、本発明の一実施形態による有機発光表示装置１００は、一つの画素にスイッチング薄膜トランジスタ１０、駆動薄膜トランジスタ２０、蓄電素子８０、及び有機発光素子（ＯＬＥＤ）７０を含む。有機発光表示装置１００は一方向に沿って配置されるゲートライン１５１と、ゲートライン１５１と絶縁交差されるデータライン１７１及び共通電源ライン１７２をさらに含む。ここで、一つの画素はゲートライン１５１、データライン１７１及び共通電源ライン１７２を境界として定義できる。
【００１５】
有機発光素子７０は、画素電極７１０と画素電極７１０の上に形成された有機発光層７２０と、有機発光層７２０の上に形成された共通電極７３０（図２に図示）を含む。ここで、画素電極７１０は正孔注入電極の正（＋）極であり、共通電極７３０は電子注入電極の負（−）極となる。しかし、本発明が必ずしもこれに限定されるのではなく、有機発光表示装置１００の駆動方法により画素電極７１０が負極となり、共通電極７３０が正極となることもありうる。画素電極７１０及び共通電極７３０から各々正孔と電子が有機発光層７２０内部に注入される。注入された正孔と電子が結合された励起子（ｅｘｉｔｏｎ）が励起状態から基底状態に落ちる時に発光される。
【００１６】
スイッチング薄膜トランジスタ１０は、スイッチング半導体層１３１、スイッチングゲート電極１５２、スイッチングソース電極１７３及びスイッチングドレイン電極１７４を含み、駆動薄膜トランジスタ２０は、駆動半導体層１３２、駆動ゲート電極１５５、駆動ソース電極１７６及び駆動ドレイン電極１７７を含む。
蓄電素子８０は層間絶縁膜１６０（図２に図示）を間において配置された第１維持電極１５８と第２維持電極１７８を含む。
【００１７】
スイッチング薄膜トランジスタ１０は発光させようとする画素を選択するスイッチング素子として用いられる。スイッチングゲート電極１５２はゲートライン１５１に連結される。スイッチングソース電極１７３はデータライン１７１に連結される。スイッチングドレイン電極１７４はスイッチングソース電極１７３から離隔配置されると共に、第１維持電極１５８と連結される。
【００１８】
駆動薄膜トランジスタ２０は選択された画素内の有機発光素子７０の有機発光層７２０を発光させるための駆動電源を画素電極７１０に印加する。駆動ゲート電極１５５は第１維持電極１５８と連結される。駆動ソース電極１７６及び第２維持電極１７８は各々共通電源ライン１７２と連結される。駆動ドレイン電極１７７は接触孔１８２を通して有機発光素子７０の画素電極７１０と連結される。
【００１９】
このような構造によって、スイッチング薄膜トランジスタ１０はゲートライン１５１に印加されるゲート電圧によって作動し、データライン１７１に印加されるデータ電圧を駆動薄膜トランジスタ２０に伝達する役割を果たす。共通電源ライン１７２から駆動薄膜トランジスタ２０に印加される共通電圧とスイッチング薄膜トランジスタ１０から伝送されたデータ電圧の差に相当する電圧が蓄電素子８０に保存され、蓄電素子８０に保存された電圧に対応する電流が駆動薄膜トランジスタ２０を通して有機発光素子７０に流れて有機発光素子７０が発光される。
【００２０】
また、有機発光表示装置１００は平坦化膜１８０（図２に図示）及び画素定義膜１９０をさらに含む。画素定義膜１９０は画素電極７１０を露出させる開口部を有し、有機発光層７２０は実質的に画素定義膜１９０の開口部内に配置される。つまり、一つの画素で画素定義膜１９０が形成された部分は有機発光層７２０が形成された部分を除いた他の部分と実質的に同一である。従って、画素定義膜１９０はゲート電極１５２、１５５、ソース電極１７３、１７６、及びドレイン電極１７４、１７７のうち、一つ以上の電極と同じ層に同じ素材で形成された導電膜の少なくとも一部と重なる。ここで、導電膜はゲートライン１５１、データライン１７１、共通電源ライン１７２、第１維持電極１５８、及び第２維持電極１７８を含む。つまり、画素定義膜１９０及び平坦化膜１８０の下にはゲートライン１５１、データライン１７１、共通電源ライン１７２、第１維持電極１５８、及び第２維持電極１７８の一つ以上の少なくとも一部が配置される。
【００２１】
平坦化膜１８０と画素定義膜１９０は互いに異なる色を有する。特に、画素定義膜１９０は平坦化膜１８０が有する色と混合されると全体的に明度が低くなる色を有する。つまり、平坦化膜１８０が有する色と画素定義膜１９０が有する色とは互いに混合されると各々の色より明度が低くなる色を有する。
【００２２】
より望ましくは、画素定義膜１９０は平坦化膜１８０が有する色と減算混合特性において互いに補色関係の色を有することである。つまり、平坦化膜１８０が有する色と画素定義膜１９０が有する色は減算混合状態で互いに補色関係であることがさらに望ましい。
このような構成によって、有機発光表示装置１００は外光反射を抑制して、向上された視認性を有することができる。
【００２３】
具体的には、画素定義膜１９０の下に配置された導電膜に反射される外部の光が画素定義膜１９０と平坦化膜１８０を通過すると共に、これらが有する色によって明度が低くなる。特に、画素定義膜１９０と平坦化膜１８０が各々減算混合状態で補色関係の色を有する場合、これらの混合色は黒い色に近づくため、光が通過できないので効果的に外光反射を抑制することができる。
【００２４】
本発明による一実施形態として、平坦化膜１８０が赤色（ｒｅｄ）系の色を有して、画素定義膜１９０が緑色（ｇｒｅｅｎ）系の色を有すると、画素定義膜１９０が緑色カラーフィルターのような機能を果たして、緑色の光だけが画素定義膜１９０を通過するようになる。この緑色の光は赤色系の色を有する平坦化膜１８０を通過しにくいため、外部の光が画素定義膜１９０及び平坦化膜１８０の下に配置された導電膜に反射されることを抑制できる。
【００２５】
しかし、本発明はこれに限定されるのではない。例えば、平坦化膜１８０が緑色系の色を有して、画素定義膜１９０が赤色系の色を有することもでき、平坦化膜１８０及び画素定義膜１９０は各々互いに減算混合される多様な色を有することができる。また、他の例として、平坦化膜１８０は青色（ｂｌｕｅ）系の色を有して、画素定義膜１９０は黄色（ｙｅｌｌｏｗ）系の色を有することもできる。また、平坦化膜１８０又は画素定義膜１９０のうちいずれか一つが黒色系の色を有することもできる。
【００２６】
以下、図２を参照して本発明の一実施形態による有機発光表示装置１００の構造について具体的に説明する。図２は駆動薄膜トランジスタ２０、有機発光素子７０及び蓄電素子８０を中心に有機発光表示装置１００を示している。
【００２７】
以下、駆動薄膜トランジスタ２０における薄膜トランジスタの構造について詳しく説明する。スイッチング薄膜トランジスタ１０については駆動薄膜トランジスタ２０との差異点のみを簡略に説明する。
【００２８】
基板１１０はガラス、石英、セラミック、プラスチックなどで形成された絶縁性基板で構成される。しかし、本発明はこれに限定されることはない。従って、基板１１０はステンレス鋼などで構成された金属性基板からも形成できる。
【００２９】
基板１１０の上にバッファ層１２０が形成される。バッファ層１２０は不純元素の浸透を防止すると共に、表面を平坦化する役割を果たすもので、このような役割を遂行できる多様な物質で形成できる。例えば、バッファ層１２０は窒化ケイ素（ＳｉＮｘ）膜、酸化ケイ素（ＳｉＯ２）膜、酸窒化ケイ素（ＳｉＯｘＮｙ）膜のうちいずれか一つが用いられる。しかし、バッファ層１２０は必ずしも必要なものではなく、基板１１０の種類及び工程条件により省略することができる。
【００３０】
バッファ層１２０の上には駆動半導体層１３２が形成される。駆動半導体層１３２は多結晶シリコン膜で形成される。駆動半導体層１３２は不純物がドーピングされていないチャンネル領域１３５と、チャンネル領域１３５の両側にｐ＋ドーピングされて形成されたソース領域１３６及びドレイン領域１３７とを含む。この時、ドーピングされるイオン物質はホウ素（Ｂ）のようなＰ型不純物であり、主にＢ２Ｈ６が用いられる。ここで、不純物は薄膜トランジスタの種類によって異なる。
【００３１】
本発明の一実施形態では駆動薄膜トランジスタ２０としてＰ型不純物を用いたＰＭＯＳ構造の薄膜トランジスタが用いられたが、これに限定されるのではない。従って、駆動薄膜トランジスタ２０にＮＭＯＳ構造、またはＣＭＯＳ構造の薄膜トランジスタのいずれも用いることができる。
【００３２】
また、図２に示された駆動薄膜トランジスタ２０は多結晶シリコン膜を含む多結晶薄膜トランジスタであるが、図２に示されていないスイッチング薄膜トランジスタ１０は多結晶薄膜トランジスタでもよく、非晶質シリコン膜を含む非晶質薄膜トランジスタでもよい。
【００３３】
駆動半導体層１３２及びバッファ層１２０の上には窒化ケイ素（ＳｉＮｘ）または酸化ケイ素（ＳｉＯ２）などからなるゲート絶縁膜１４０が形成される。さらに、ゲート絶縁膜１４０の上に駆動ゲート電極１５５を含むゲート配線が形成される。ゲート配線はゲートライン１５１（図１に図示）、第１維持電極１５８及びその他の配線をさらに含む。駆動ゲート電極１５５は駆動半導体層１３２の少なくとも一部、特にチャンネル領域１３５と重なるように形成される。
【００３４】
ゲート絶縁膜１４０の上には駆動ゲート電極１５５を覆う層間絶縁膜１６０が形成される。ゲート絶縁膜１４０及び層間絶縁膜１６０は駆動半導体層１３２のソース領域１３６及びドレイン領域１３７を露出させる複数の貫通孔を共に有する。層間絶縁膜１６０は、ゲート絶縁膜１４０と同様に、窒化ケイ素（ＳｉＮｘ）または酸化ケイ素（ＳｉＯ２）等から形成される。
【００３５】
層間絶縁膜１６０の上には駆動ソース電極１７６及び駆動ドレイン電極１７７を含むデータ配線が形成される。データ配線はデータライン１７１（図１に図示）、共通電源ライン１７２、第２維持電極１７８及びその他の配線をさらに含む。駆動ソース電極１７６及び駆動ドレイン電極１７７は各々の貫通孔を通して、駆動半導体層１３２のソース領域１３６及びドレイン領域１３７とそれぞれ連結される。
【００３６】
このように、駆動半導体層１３２、駆動ゲート電極１５５、駆動ソース電極１７６及び駆動ドレイン電極１７７を含む駆動薄膜トランジスタ２０が形成される。
駆動薄膜トランジスタ２０の構成は前述した例に限定されずに、当該技術分野の専門家が容易に実施できる公知された構成で多様に変形できる。
【００３７】
層間絶縁膜１６０の上にはデータ配線である共通電源ライン１７２、駆動ソース電極１７６、駆動ドレイン電極１７７及び第２維持電極１７８を覆う平坦化膜１８０が形成される。平坦化膜１８０はその上に形成される有機発光素子７０の発光効率を上げるために平坦化させて段差をなくす役割を果たす。また、平坦化膜１８０はドレイン電極１７７の一部を露出させる接触孔１８２を有する。
【００３８】
平坦化膜１８０は色を有する。一例として、平坦化膜１８０は赤色を帯びるポリアクリル系樹脂（ｐｏｌｙ  ａｃｒｙｌａｔｅｓ  ｒｅｓｉｎ）で形成できる。しかし、本発明はこれに限定されるものではない。従って、平坦化膜１８０はエポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｉｎ）、不飽和ポリエステル系樹脂（ｕｎｓａｔｕｒａｔｅｄ  ｐｏｌｙｅｓｔｅｒｓ  ｒｅｓｉｎ）、ポリフェニレン系樹脂（ｐｏｌｙ（ｐｈｅｎｙｌｅｎｅｔｈｅｒｓ）ｒｅｓｉｎ）、ポリフェニレンスルフィド系樹脂（ｐｏｌｙ（ｐｈｅｎｙｌｅｎｅｓｕｌｆｉｄｅｓ）ｒｅｓｉｎ）又はベンゾシクロブテン（ｂｅｎｚｏｃｙｃｌｏｂｕｔｅｎｅ、ＢＣＢ）のうち一つ以上の物質に色を有する染料を混合して形成できる。この他にも、平坦化膜１８０は公知の多様な方法で色を有するように形成すればよい。
【００３９】
平坦化膜１８０の上には有機発光素子７０の画素電極７１０が形成される。画素電極７１０は平坦化膜１８０の接触孔１８２を通してドレイン電極１７７と連結される。
また、平坦化膜１８０上には画素電極７１０を露出させる開口部を有する画素定義膜１９０が形成される。つまり、画素電極７１０は画素定義膜１９０の開口部に対応するように配置される。
【００４０】
画素定義膜１９０は平坦化膜１８０が有する色と混合されると全体的に明度が低くなる色を有するように形成される。より望ましくは、画素定義膜１９０は平坦化膜１８０が有する色と減算混合状態で互いに補色関係の色を有する。例えば、平坦化膜１８０が赤色系の色を有すると、画素定義膜１９０は緑色系の色を有するように形成される。画素定義膜１９０はポリアクリル系（ｐｏｌｙａｃｒｙｌａｔｅｓ）またはポリイミド系（ｐｏｌｙｉｍｉｄｅｓ）等の樹脂とシリカ系の無機物などに色を有する染料を混合して形成できる。この他にも、画素定義膜１９０は公知の多様な方法で色を有するように形成すればよい。
【００４１】
画素定義膜１９０の開口部内で画素電極７１０の上には有機発光層７２０が形成され、画素定義膜１９０及び有機発光層７２０上には共通電極７３０が形成される。
このようにして、画素電極７１０、有機発光層７２０、及び共通電極７３０を含む有機発光素子７０が形成される。
【００４２】
画素電極７１０又は共通電極７３０のうちいずれか一つは透明な導電性物質で形成され、他の一つは半透過型または反射型導電性物質で形成できる。画素電極７１０及び共通電極７３０を形成する物質の種類によって、有機発光表示装置１００は前面発光型、背面発光型または両面発光型になりうる。本発明による有機発光表示装置１００は前面発光型で形成される。
【００４３】
透明な導電性物質としては、インジウム錫酸化物（ｉｎｄｉｕｍ  ｔｉｎ  ｏｘｉｄｅ、ＩＴＯ）またはインジウム亜鉛酸化物（ｉｎｄｉｕｍ  ｚｉｎｃ  ｏｘｉｄｅ、ＩＺＯ）またはＩｎ２Ｏ３（Ｉｎｄｉｕｍ  Ｏｘｉｄｅ）等の物質が用いられる。半透過型または反射型物質としては、リチウム（Ｌｉ）、カルシウム（Ｃａ）、フッ化リチウム／カルシウム（ＬｉＦ／Ｃａ）、フッ化リチウム／アルミニウム（ＬｉＦ／Ａｌ）、アルミニウム（Ａｌ）、銀（Ａｇ）、マグネシウム（Ｍｇ）、または金（Ａｕ）等の物質を用いることができる。
【００４４】
有機発光層７２０は低分子有機物または高分子有機物で構成される。このような有機発光層７２０は正孔注入層（ｈｏｌｅ−ｉｎｊｅｃｔｉｏｎ  ｌａｙｅｒ、ＨＩＬ）、正孔輸送層（ｈｏｌｅ−ｔｒａｎｓｐｏｒｔｉｎｇ  ｌａｙｅｒ、ＨＴＬ）、発光層、電子輸送層（ｅｌｅｃｔｒｏｎ−ｔｒａｎｓｐｏｒｔｉｏｎｇ  ｌａｙｅｒ、ＥＴＬ）、及び電子注入層（ｅｌｅｃｔｒｏｎ−ｉｎｊｅｃｔｉｏｎ  ｌａｙｅｒ、ＥＩＬ）を含む多重膜で形成される。つまり、正孔注入層は正極の画素電極７１０上に配置され、その上に正孔輸送層、発光層、電子輸送層、電子注入層が順次積層される。
【００４５】
図示を省略するが、密封部材は、基板１１０上に形成された薄膜トランジスタ１０、２０及び有機発光素子７０等を外部から密封されるようにカバーして保護する。
このような構成によって、有機発光表示装置１００は外光反射を抑制して向上された視認性を有することができる。
【００４６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００４７】
【図１】本発明の一実施形態による有機発光表示装置の配置図である。
【図２】本発明の一実施形態による有機発光表示装置を説明するために、図１のＩＩ−ＩＩ線における断面図である。
【符号の説明】
【００４８】
１００      有機発光表示装置
１０        スイッチング薄膜トランジスタ
２０        駆動薄膜トランジスタ
７０        有機発光素子
８０        蓄電素子
１１０      基板
１２０      バッファ層
１３１      スイッチング半導体層
１３２      駆動半導体層
１３５      チャンネル領域
１３６      ソース領域
１３７      ドレイン領域
１４０      ゲート絶縁膜
１５１      ゲートライン
１５２      スイッチングゲート電極
１５５      駆動ゲート電極
１５８      維持電極
１６０      層間絶縁膜
１７１      データライン
１７２      共通電源ライン
１７３      スイッチングソース電極
１７４      スイッチングドレイン電極
１７６      駆動ソース電極
１７７      駆動ドレイン電極
１７８      維持電極
１８０      平坦化膜
１８２      接触孔
１９０      画素定義膜
７１０      画素電極
７２０      有機発光層
７３０      共通電極
【図１】
2010040503.tif 000003
【図２】
2010040503.tif 000004